(57)【要約】【課題】ホッパーの内部にセンサを設けることなく、メダルの減少に起因するメダルの貯留不良の状態を確実に判別して、ホッパーから全てのメダルを払い出すことを可能とする。【解決手段】メダル払出装置は、ディスク３５を回転させてホッパー３２内のメダルを順次送り出すメダル送出部３０と、メダル送出部３０より送り出されるメダルの枚数を計数するために設けられたメダル検出部３１と、ディスク３５の駆動を制御する制御部とを備えている。制御部はメダル検出部３１の出力状態を監視してホッパー３２内のメダルの貯留状態を判別する。また、制御部はホッパー３２内のメダルがメダル残量の減少に起因する貯留不良の状態にあるものと判断したときディスク３５の回転速度を低速化する。【選択図】  図４
2004160048.tif 000002
【特許請求の範囲】
【請求項１】
ディスクを回転させてホッパー内のメダルを順次送り出すメダル送出部と、前記メダル送出部より送り出されるメダルの枚数を計数するために設けられたメダル検出部と、前記ディスクの駆動を制御する制御部とを備えるメダル払出装置において、前記制御部は、前記メダル検出部の出力状態を監視してホッパー内のメダルの貯留状態を判別する監視手段と、ホッパー内のメダルがメダル残量の減少に起因する貯留不良の状態にあるものと前記監視手段が判断したとき前記ディスクを平時とは異なる動作態様で駆動させる駆動制御手段とを備えて成るメダル払出装置。
【請求項２】
前記制御部の監視手段は、ディスク回転時に前記メダル検出部の検出出力が一定時間継続して検出されないとき、ホッパー内のメダルがメダル残量の減少に起因する貯留不良の状態にあるものと判断する請求項１に記載されたメダル払出装置。
【請求項３】
前記制御部の駆動制御手段は、ホッパー内のメダルがメダル残量の減少に起因する貯留不良の状態にあるものと前記監視手段が判断したとき、前記ディスクの回転速度を低速化する請求項１に記載されたメダル払出装置。
【請求項４】
前記制御部の監視手段は、ディスク回転時に前記メダル検出部の検出出力が一定時間継続して検出されないとき、ホッパー内のメダルがメダル残量の減少に起因する貯留不良の状態にあるものと判断し、前記制御部の駆動制御手段は、ホッパー内のメダルがメダル残量の減少に起因する貯留不良の状態にあるものと前記監視手段が判断したとき、前記ディスクの回転速度を低速化し、さらに前記制御部の監視手段は、ディスクの回転速度を低速化した後に前記メダル検出部の検出出力が一定時間継続して検出されないとき、ホッパー内のメダル残量がゼロになったものと判断し、前記制御部の駆動制御手段は、ホッパー内のメダル残量がゼロになったものと前記監視手段が判断したとき、前記ディスクの回転を停止させる請求項１に記載されたメダル払出装置。
【請求項５】
請求項１〜４のいずれかに記載されたメダル払出装置が組み込まれて成る遊技機。
【発明の詳細な説明】
【０００１】
【産業上の利用分野】
この発明は、例えば、遊技媒体としてのメダルを払い出すのに用いられるメダル払出装置と、そのメダル払出装置が組み込まれたスロットマシンなどの遊技機とに関する。
【０００２】
【従来の技術】
例えば、典型的なスロットマシンでは、機械の内部にメダル払出装置が組み込まれており、入賞時や精算時などにメダル払出装置が駆動して所定枚数のメダルをメダル受け皿へ払い出すようになっている。
【０００３】
前記メダル払出装置は、ディスクを回転させてホッパー内のメダルを順次送り出すメダル送出部と、前記メダル送出部より送り出されたメダルの枚数を計数するために設けられたメダル検出部とを含んでいる。前記ディスクは、ホッパー内のメダルが１枚ずつはまり込む複数個の穴を有しており、このディスクをモータにより回転させて各穴にはまり込んだメダルを順次メダル送出部より送り出す。
【０００４】
メダル送出部より送り出されるメダルはメダル検出部によって検出される。メダル検出部の検出出力は制御部に取り込まれて計数される。入賞時や精算時には、メダル検出部によって検出されたメダルの枚数が所定の値になったとき、ディスクは回転を停止してメダルの払出が完了する。
また、スロットマシンの機械の内部には、工場出荷時、台入替時、メダル洗浄時などに操作されるメダル回収スイッチが備え付けてある。このメダル回収スイッチが操作されると、同様にディスクが回転し、ホッパー内の全てのメダルがメダル送出部より次々に送り出される。そして、ホッパー内が空になったとき、ディスクの回転が停止する。
【０００５】
近年のスロットマシンでは、稼働率を向上させるために、ディスクの回転速度を高速に設定している。しかし、ディスクの回転を速くすると、ホッパー内のメダル残量が減少したとき、上層のメダルによる荷重が小さくなるため、メダルが飛び跳ねてディスクの穴にはまり込まないという現象（以下、「メダルの飛び跳ね現象」という。）が発生する。そのため、メダル回収スイッチを操作しても、ホッパーから全てのメダルが送り出されず、残ったメダルを作業者が手作業で取り除く必要がある。また、入賞時や精算時には、ホッパー内にメダルが残っていても、メダル切れの状態となるため、係員がメダルを補給する頻度が増す。
【０００６】
上記した技術課題に解消するために、先般、ホッパー内でのメダルの飛び跳ね現象の発生を抑制して、ホッパーが空になるまでメダルを払い出すことを可能としたホッパー装置が提案された（特許文献参照）。このホッパー装置は、ホッパー内のメダル残量が基準量以下になったとき、これをマイクロスイッチなどのセンサにより検出し、センサからメダル減少信号が出力されたとき、制御装置がモータの回転速度を低下させる、というものである。
【０００７】
【特許文献】
特開平７−１６３７０１号公報
【０００８】
【発明が解決しようとする課題】
しかしながら、上記の方法では、ホッパーの内部にマイクロスイッチなどのセンサを取り付ける必要があり、製品のコストアップを招く。また、ホッパー内はメダルの動きが激しいため、メダルがセンサに衝突してセンサの損傷や故障を招くおそれがある。しかも、ホッパー内に残ったメダルがセンサの側に偏って存在すると、ホッパー内のメダル残量が基準量以下になっても、メダルの減少を検出できないという問題もある。
【０００９】
この発明は、上記問題に着目してなされたもので、ホッパーの内部にセンサを設けることなく、メダルの減少に起因するメダルの貯留不良の状態を確実に判別してホッパーから全てのメダルを払い出すことができるメダル払出装置を提供することを目的とする。
【００１０】
【課題を解決するための手段】
この発明によるメダル払出装置は、ディスクを回転させてホッパー内のメダルを順次送り出すメダル送出部と、前記メダル送出部より送り出されるメダルの枚数を計数するために設けられたメダル検出部と、前記ディスクの駆動を制御する制御部とを備えたものである。前記制御部は、前記メダル検出部の出力状態を監視してホッパー内のメダルの貯留状態を判別する監視手段と、ホッパー内のメダルがメダル残量の減少に起因する貯留不良の状態にあるものと前記監視手段が判断したとき前記ディスクを平時とは異なる動作態様で駆動させる駆動制御手段とを備えている。
【００１１】
上記した構成において、「メダル検出部」は、メダルの通過を検出してその検出信号を出力するものであり、マイクロスイッチ、光電センサ、近接スイッチなどのセンサをメダルの通過路上に配置して構成されている。
また、「制御部」を構成する「監視手段」や「駆動制御手段」は、専用のハードウェア回路によっても実現でき、また、プログラムされたコンピュータによっても実現できるものである。
なお、「メダル残量の減少に起因する貯留不良の状態」とは、ここではメダルの飛び跳ね現象が発生する状態をいうが、それに限らず、メダルの送出に支障をきたす状態を広く含むものである。
【００１２】
この発明は、ホッパー内のメダル残量が減少すると、ホッパー内でメダルの飛び跳ね現象などが生じ、メダルの送出に時間的なむらが生じることに着目したもので、前記制御部の監視手段は、メダル検出部の出力状態を監視してホッパー内のメダルの貯留状態を判別する。
メダル検出部の出力状態からホッパー内のメダルの貯留状態を判別するには種々の方法が考えられるが、この発明の好ましい一実施態様においては、前記制御部の監視手段は、ディスク回転時に前記メダル検出部の検出出力が一定時間継続して検出されないとき、ホッパー内のメダルがメダル残量の減少に起因する貯留不良の状態にあるものと判断している。
【００１３】
ホッパー内でメダルの飛び跳ね現象などの発生を抑制するために、前記制御部の駆動制御手段は、ホッパー内のメダルがメダル残量の減少に起因する貯留不良の状態にあるものと前記監視手段が判断したとき前記ディスクを平時とは異なる動作態様で駆動する。
ディスクを平時とは異なる動作態様で駆動するには種々の方法が考えられるが、この発明の好ましい一実施態様においては、前記制御部の駆動制御手段は、ホッパー内のメダルがメダル残量の減少に起因する貯留不良の状態にあるものと前記監視手段が判断したとき、前記ディスクの回転速度を低速化している。なお、ディスクの回転速度の低速化は段階的に行ってもよい。
【００１４】
ディスクを平時とは異なる動作態様で駆動させる方法として、ディスクの回転速度を低速化することの他に、ディスクを逆転させたり、ディスクを連続回転から間欠回転へ移行させたりするなどの方法がある。
また、メダル送出部に振動機構を組み込んでおき、平時は振動機構は動作させず、ホッパー内のメダルがメダル残量の減少に起因する貯留不良の状態にあるものと前記監視手段が判断したとき、振動機構を動作させた状態でディスクを回転させるという方法もある。
【００１５】
この発明のさらに好ましい一実施態様においては、前記制御部の監視手段は、ディスク回転時に前記メダル検出部の検出出力が一定時間継続して検出されないとき、ホッパー内のメダルがメダル残量の減少に起因する貯留不良の状態にあるものと判断し、前記制御部の駆動制御手段は、ホッパー内のメダルがメダル残量の減少に起因する貯留不良の状態にあるものと前記監視手段が判断したとき、前記ディスクの回転速度を低速化する。さらに、前記制御部の監視手段は、ディスクの回転速度を低速化した後に前記メダル検出部の検出出力が一定時間継続して検出されないとき、ホッパー内のメダル残量がゼロになったものと判断し、前記制御部の駆動制御手段は、ホッパー内のメダル残量がゼロになったものと前記監視手段が判断したとき、前記ディスクの回転を停止させるようにする。
【００１６】
なお、この発明によるメダル払出装置は、スロットマシンのように、メダルを遊技媒体とする遊技機に組み込まれる他、メダル貸出機などにも組み込むこともできる。
【００１７】
【作用】
例えばメダルを回収する場合、メダル送出部のディスクを回転させると、ホッパー内のメダルはメダル送出部より順次送り出される。メダル送出部より送り出されたメダルはメダル検出部により検出される。制御部の監視手段は、メダル検出部の出力状態によってホッパー内のメダルの貯留状態を判別する。監視手段がホッパー内のメダルがメダル残量の減少に起因する貯留不良の状態にあるものと判断すると、制御部の動作制御手段はディスクを平時とは異なる動作態様で駆動する。これによりホッパー内でのメダルの飛び跳ね現象などの発生が抑制されるので、メダルは回転するディスクによって確実にメダル送出経路に導かれ、メダル送出部より送り出される。
【００１８】
【実施例】
図１は、この発明の一実施例であるスロットマシンの外観を示す。
図示例のスロットマシンは、箱状の本体部２の前面開口に扉部３が開閉可能に取り付けられて機体１が構成されている。前記本体部２の内部には、図２に示すように、メダル払出機６や電源装置１０などが組み込まれている。また、上方位置には、スピーカー１４、後述する制御部５０が実装された回路基板５、およびリールブロック４が配備されている。
【００１９】
前記リールブロック４は、合成樹脂製のフレーム７に３個のリール８ａ，８ｂ，８ｃが一体に組み付けられて成る。各リール８ａ，８ｂ，８ｃはリール枠の外周面に帯状テープが貼設されたものである。帯状テープには、入賞を成立させる図柄、はずれとなる図柄など、複数種の図柄が表されている。このリールブロック４には、各リール８ａ，８ｂ，８ｃを個別に回転駆動するステッピングモータ９ａ，９ｂ，９ｃが一体に組み付けられている。
【００２０】
前記扉部３の前面には、中央の正面パネル１１と、その上下の上部パネル１２および下部パネル１３とが配置されている。各パネル１１，１２，１３は、透明な合成樹脂板の表面にシルクスクリーン印刷が施されたものである。上部パネル１２の両側にはスピーカー１５が配置されている。下部パネル１３の下方にはメダル払出口１７およびメダル受け皿１８が設けられている。
【００２１】
正面パネル１１の板面中央には無着色で透明の図柄表示窓２０が形成されている。図柄表示窓２０の背後には、前記リールブロック４の各リール８ａ，８ｂ，８ｃが外周面を図柄表示窓２０に向けて配置されている。この図柄表示窓２０は、リール停止時に各リールについてそれぞれ３個の図柄（合計９個の図柄）が見えるように、横に長い矩形状に形成されている。なお、図示していないが、図柄表示窓２０には、メダルの賭枚数に応じて有効化される合計５本の入賞ラインが表されている。
【００２２】
正面パネル１１の図柄表示窓２０の下方位置には、貯留メダルの枚数が数値で表示される貯留枚数表示器２１、役の成立時に遊技者に配当として与えられるメダルの枚数が数値で表示される払出枚数表示器２２などが配置されている。
【００２３】
正面パネル１１の下方にはメダル投入口２４、ベット釦スイッチ２７、始動レバー２５、精算スイッチ２８、３個の停止釦スイッチ２６ａ，２６ｂ，２６ｃなどが配備されている。
メダル投入口２４はメダルの投入を受け付ける部分である。このメダル投入口２４へメダルが投入されると、貯留メダルの枚数がゼロであれば、３枚までは賭メダルとして受け付けられ、３枚を越えた分は貯留メダルとして受け付けられる。ベット釦スイッチ２７は電子データの形式で貯留されている貯留メダルより３枚の貯留メダルを引き落として賭メダルに変換するのに操作される。始動レバー２５は３個のリール８ａ，８ｂ，８ｃを一斉に始動させるのに操作される。３個の停止釦スイッチ２６ａ，２６ｂ，２６ｃは対応するリール８ａ，８ｂ，８ｃを個別に停止させるのに操作される。精算スイッチ２８は貯留メダルを精算してメダル受け皿１８へ払い出させるためのものである。
【００２４】
図３〜図５は、前記したメダル払出機６の構成を示している。
図示例のメダル払出機６は、メダル送出部３０とメダル検出部３１とから成るもので、後述する制御部５０とともにメダル払出装置を構成している。
【００２５】
前記メダル送出部３０は、多数枚のメダルを収容することが可能な合成樹脂製のホッパー３２と、ホッパー３２内のメダルを順次送り出すためのディスク回転機構３３とを含んでいる。
前記メダル検出部３１は、メダル送出部３０より送り出されるメダルの枚数を計数するために設けられており、メダルの通過路上にマイクロスイッチなどのメダル検知センサ３４を配置して構成される。
【００２６】
前記メダル送出部３０のホッパー３２は、上面が真上に、下面が斜め下方に、それぞれ開口しており、上面の開口部３２ａがメダルセレクタ（図示せず。）の直下に位置するようにメダル払出機６が位置決め固定される。前記メダルセレクタは扉部３の背面に取り付けられており、メダル投入口２４より投入されたメダルを選別し、適正なメダルをホッパー３２の上方へ導いて上面の開口部３２ａに向けて落下させる。
【００２７】
ホッパー３２の下面の開口縁３２ｂはディスク回転機構３３のディスク３５の外周に嵌められており、これによりホッパー３２内のメダルがディスク回転機構３３へ送られる。ホッパー３２の内部には、溜まったメダルが過大な負荷となって直接ディスク３５に作用しないようにするために邪魔板３６が配備されている。
【００２８】
前記ディスク回転機構３３は、ディスク３５と、ディスク３５の駆動源である減速機付きのモータ３６と、ディスク３５およびモータ３６が組み付けられる機台３７とで構成されている。
機台３７には取付基板３８が斜めに固定され、その取付基板３８の裏面に前記モータ３６が取り付けられるとともに、基板３８の上面にディスク３５が回転可能に配備されている。モータ３６の出力軸は取付基板３８上に突出し、この出力軸にディスク３５が一体に取り付けられている。
【００２９】
前記ディスク３５は、爪板６０と円板６１と押え板６２とを上下に重ねて一体化されたものである。前記爪板６０は外周の等角度位置毎に爪６３を突出させたもので、隣合う爪６３，６３間にはメダルが嵌る凹部６４が形成されている。各爪６３の一方の縁部６３ａは凹部６４に嵌ったメダルを外方へ押し出すためのガイドとして機能する。
【００３０】
前記円板６１は、外周沿いに複数個のほぼ円形の穴６５が円陣に配置されたものであり、各穴６５が前記爪板６３の各凹部６４上に重なるように爪板６０上に位置決めされる。円板６１の穴６５から爪板６０の凹部６４にはまり込んだメダルは、ホッパー３２の下面の開口縁３２ｂによって外方への飛び出しが規制されつつ爪板６０の爪６３によって押される。メダルがガイド６６の設置位置に至ると、ガイド６６に沿ってディスク３５の一側方のメダル送出経路４０へ押し出される。
【００３１】
前記機台３７の前面にはメダル送出口４１が開口しており、このメダル送出口４１に前記メダル送出経路４０が通じている。メダル送出経路４０に導出されたメダルはメダル検知センサ３４により検出された後、メダル送出経路４０を通ってメダル送出口４１より送出される。メダル送出口４１にはメダル払出口１７に連通する通路部材（図示せず。）の入口が対向しており、メダル送出口４１より送出されたメダルは前記入口より通路部材の内部へ送り込まれる。
【００３２】
図６は、上記したスロットマシンの電気的な構成を示している。
同図中、５０はマイクロコンピュータより成る制御部であり、制御、演算の主体であるＣＰＵ、プログラムや固定データが格納されるＲＯＭ、データの読み書きに用いられるＲＡＭなどを含んでいる。前記ＣＰＵは、ＲＯＭに格納されたプログラムに従ってＲＡＭに対するデータの読み書きを行いつつ入出力各部の動作を一連に制御するものである。
また、同図の電源装置１０は、１００Ｖの交流電圧を２４Ｖの直流電圧に変換し、これを制御部５０に与える。
【００３３】
前記制御部５０は、前記メダル検出部３１のメダル検知センサ３４の出力状態を監視してホッパー３２内のメダルの貯留状態を判別する監視手段としての機能と、ホッパー３２内のメダルがメダル残量の減少に起因する貯留不良の状態にあるものと判断したとき前記ディスク３５の回転速度を低速化する駆動制御手段としての機能とを備えている。
【００３４】
この実施例では、前記制御部５０は、モータ３６が通常速度で回転している状態において、前記メダル検知センサ３４の検出出力が１秒間継続して検出されなかったとき、ホッパー３２内のメダルがメダル残量の減少に起因する貯留不良の状態にあるものと判断して、モータ３６の回転速度を通常速度の１／２の速度に低速化する。
さらに、制御部５０は、モータ３６が通常速度の１／２の速度で回転している状態において、前記メダル検知センサ３４の検出出力が１秒間継続して検出されなかったとき、ホッパー３２内のメダルがメダル残量の減少に起因する貯留不良の状態にあるものと判断して、モータ３６の回転速度を通常速度の２／５の速度に低速化する。
そして、制御部５０は、モータ３６が通常速度の２／５の速度で回転している状態において、前記メダル検知センサ３４の検出出力が３秒間継続して検出されなかったとき、ホッパー３２内のメダル残量がゼロになったと判断して、モータ３６の回転を停止させるものである。
【００３５】
この実施例では、前記モータ３６として直流モータを用いているが、これに限らず、それ以外のモータを使用することもできる。また、この実施例では、モータの速度を平時の通常速度からまず１／２速度に落とし、次いで２／５速度に落としているが、速度の切換は３段階に限らず、２段階であってもよく、また４段階以上であってもよい。
【００３６】
直流モータの速度制御方法には種々あるが、例えば、パルス幅変調制御法（一般に「ＰＷＭ制御法」と呼ばれる。）や抵抗制御法を用いるとよい。直流モータは入力電圧が変化すると、回転数もそれに対応して変化する。パルス幅変調制御法は直流モータの入力電圧のデューティ・サイクルを変えるようにしたものである。また、抵抗制御法は直流モータの入力電圧の大きさを変えるようにしたものである。いずれの制御法も公知であり、ここでは詳細な説明は省略する。
【００３７】
制御部５０には、メダル払出機６の駆動源であるモータ３６およびメダル検知センサ３４、タイマ５１、リール毎のステッピングモータ９ａ，９ｂ，９ｃ、貯留枚数表示器２１、払出枚数表示器２２、始動レバー２５、３個の停止釦スイッチ２６ａ，２６ｂ，２６ｃ、ベット釦スイッチ２７、精算スイッチ３６、メダル回収スイッチ５２などの入出力各部が接続されている。
【００３８】
前記タイマ５１は、ホッパー３２内のメダルがメダル残量の減少に起因する貯留不良の状態にあるかどうかや、ホッパー３２内が空になったかどうかを判別するために、前記した設定時間（１秒および３秒）の経過を計測するためのものである。
メダル回収スイッチ５２は、機体１の内部の適所に配置され、工場出荷時、台入替時、メダル洗浄時などに工場の作業員や遊技場の係員によって操作される。
【００３９】
メダル回収スイッチ５２が操作されると、ホッパー３２内の全てのメダルがメダル送出部３０より次々に送り出されるもので、そのときの制御部５０による制御の流れが図７および図８に示してある。なお、図中、「ＳＴ」は「ＳＴＥＰ（ステップ）」の略であり、制御の流れにおける各手順を示している。
【００４０】
同図のＳＴ１は、メダル払出装置６のホッパー３２内の全てのメダルを回収すするかどうかを、メダル回収スイッチ５２が操作されたかどうかにより判定しており、その判定が「ＹＥＳ」のとき、制御部５０はメダル払出機６のモータ３６を通常速度で駆動させ、タイマ５１に計時を開始させる（ＳＴ２，３）。
【００４１】
次のＳＴ４，５では、計時開始後１秒以内にメダルが送出されたかどうかをメダル検知センサ３４の出力によって判定している。もし、１秒以内にメダルの送出があったときは、ホッパー３２内にメダルの飛び跳ね現象などが発生していないと判断され、ＳＴ４の判定が「ＮＯ」、ＳＴ５の判定が「ＹＥＳ」であり、タイマ５１はリセットされる（ＳＴ６）。
【００４２】
もし、１秒以内にメダルの送出がなかったときは、ホッパー３２内にメダルの飛び跳ね現象などが発生しているものと判断され、ＳＴ４の判定が「ＹＥＳ」となってＳＴ７へ進み、制御部５０はメダル払出機６のモータ３６の回転速度を通常速度の１／２に切り換え、タイマ５１をリセットした後に計時を開始させる（ＳＴ８）。
【００４３】
次のＳＴ９，１０ではＳＴ８の計時開始後１秒以内にメダルが送出されたかどうかをメダル検知センサ３４の出力によって判定している。もし、１秒以内にメダルの送出があったときは、ホッパー３２内にメダルの飛び跳ね現象などが発生していないと判断され、ＳＴ９の判定が「ＮＯ」、ＳＴ１０の判定が「ＹＥＳ」であり、タイマ５１はリセットされる（ＳＴ１１）。
【００４４】
もし、１秒以内にメダルの送出がなかったときは、ホッパー３２内にメダルの飛び跳ね現象が発生しているものと判断され、ＳＴ９の判定が「ＹＥＳ」となってＳＴ１２へ進み、制御部５０はメダル払出機６のモータ３６の回転速度を通常速度の２／５に切り換え、タイマ５１をリセットした後に計時を開始させる（ＳＴ１３）。
【００４５】
次のＳＴ１４，１５ではＳＴ１３の計時開始後３秒以内にメダルが送出されたかどうかをメダル検知センサ３４の出力によって判定している。もし、３秒以内にメダルの送出があったときは、ホッパー３２内のメダル残量はゼロになっていないと判断され、ＳＴ１４の判定が「ＮＯ」、ＳＴ１５の判定が「ＹＥＳ」であり、タイマ５１はリセットされる（ＳＴ１６）。
【００４６】
もし、３秒以内にメダルの送出がなかったときは、ホッパー３２内のメダル残量はゼロになったものと判断され、ＳＴ１４の判定が「ＹＥＳ」となってＳＴ１７へ進み、制御部５０はメダル払出機６のモータ３６の回転を停止させ、タイマ５１をリセットさせる（ＳＴ１８）。
【００４７】
なお、上記は、メダル回収スイッチ５２が操作されたときの制御部５０による制御の流れを示しているが、入賞時や精算時についても、ホッパー３２内にメダルの飛び跳ね現象が発生していると判断したとき、モータ３６の速度を低速化することにより、ホッパー３２が空になるまでメダルの払出を行うようにする。なお、入賞時では、配当枚数のメダルが払い出されると、その時点でモータ３６の回転が停止し、また、精算時では、貯留枚数表示器２１に表示されている枚数のメダルが払い出されると、その時点でモータ３６の回転が停止する。
【００４８】
【発明の効果】
この発明によれば、ホッパーの内部にセンサを設けることなく、メダルの減少に起因するメダルの貯留不良の状態を確実に判別して、ホッパーから全てのメダルを払い出すことが可能となる。
【図面の簡単な説明】
【図１】この発明の一実施例であるスロットマシンの外観を示す正面図である。
【図２】スロットマシンの内部構造を示す正面図である。
【図３】メダル払出機の外観を示す正面図である。
【図４】メダル払出機の平面図である。
【図５】メダル払出機のディスク回転機構の構成を示す平面図である。
【図６】スロットマシンの回路構成を示すブロック図である。
【図７】メダル回収時におけるスロットマシンの制御の流れを示すフローチャートである。
【図８】
図７のフローチャートの続きのフローチャートである。
【符号の説明】
６    メダル払出機
３０  メダル送出部
３１  メダル検出部
３２  ホッパー
３５  ディスク
５０  制御部
【図１】
2004160048.tif 000003
【図２】
2004160048.tif 000004
【図３】
2004160048.tif 000005
【図４】
2004160048.tif 000006
【図５】
2004160048.tif 000007
【図６】
2004160048.tif 000008
【図７】
2004160048.tif 000009
【図８】
2004160048.tif 000010